(57)【要約】【課題】両面又は片面に金網を配設した壁体をモルタル吹付体Ｐとする場合において、モルタル吹付作業においては吹付作業を容易に行えるようにすると共にモルタルのダレ防止体となり、吹付後においてはモルタル界面剥離防止兼補強体として機能する補強帯及び壁体構造を提供する。【手段】補強帯Ｍは、線材がＵ状に屈曲された屈曲根部１と一対の脚部２を有するＵ状金具が、所定間隔で一線上に配列され、夫々の脚部端部４に縁線５が溶着６されると共に各脚部の中間に壁体の金網Ｎに接するスペーサ線７とスペーサ線に平行して中間補強線９が直交して固定８されてなり、補強体の屈曲根部１を金網Ｎの網目に貫入させて設置してモルタル壁の吹付を行う。【選択図】  図２
2008057261.tif 000002
【特許請求の範囲】
【請求項１】
屈曲根部と一対の脚部を有し、所定間隔で一線上に配列されたU状金具と、夫々の前記脚部端部に縁線が配設固定されると共に前記脚部の中間に壁体の金網に接するスペーサ線が直交して固定されてなる吹付モルタル用補強帯。
【請求項２】
脚部の縁線とスペーサ線に平行して中間補強線が配設固定されてなる請求項１記載の補強帯。
【請求項３】
屈曲根部と一対の脚部からなるU状部が連設縁線部を介して所定間隔で連続して形成され、前記脚部の中間にスペーサ線と中間補強線が夫々直交して固定されてなる吹付モルタル用補強帯。
【請求項４】
請求項１〜３いずれか記載の補強帯の屈曲根部が壁体金網の網目を貫通すると共にスペーサ線が金網に近接して前記壁体金網に垂直に固定配設され、壁体心材と前記スペーサ線までの下地層と、縁線までの中間層と,該中間層表面を比較的薄い仕上層としてモルタル吹付されてなる壁体構造。
【発明の詳細な説明】
【技術分野】
【０００１】
この発明は、金網付壁体をモルタル吹付体とする場合において、吹付モルタルのダレを防止すると共にモルタル層を補強する補強帯及び壁体構造に関する。
【背景技術】
【０００２】
木材その他の板材に立体金網を張設した壁体、或いは合成樹脂発泡板の表面に金網をラチス材によって浮設した壁用ユニットパネルをモルタル吹付体とするコンクリート壁構造は公知（文献１）である。
ユニットパネル（壁体）を使用する従来の吹付は、下吹きの厚さを２〜３ｃｍとし、表層の仕上吹きを４〜５ｃｍにするのが一般であって仕上吹付において吹付モルタルのダレや崩落を生じやすい。  これらの欠点を改善するため、特殊な混和材を用いることが提案されたが、混和材のコストが高い上、熟練作業が要求されるので有効な解決策ではなかった。
また、上記の壁構造においては火災による加熱によって下吹き層（下地層）と仕上層間の界面が剥離しやすい欠点があった。
更に、壁体構造の耐震強度を向上させる手段としては、金網線径を太くしたり、二重張りなどがあるが、前者はパネル重量を増大させる上、切断加工や設置作業が困難になり、後者は張り作業に多くの労力を要する。
【０００３】
【特許文献１】特許第２７８３０５３号公報
【発明の開示】
【発明が解決しようとする課題】
【０００４】
本発明は、両面又は片面に金網を配設した壁体をモルタル吹付体とする場合において、モルタル吹付作業においては吹付作業を容易に行えるようにすると共にダレ防止体となり、また、吹付後においてはモルタル界面剥離防止兼補強体として機能する補強帯及び耐火性壁体構造を提供するものである。
【課題を解決するための手段】
【０００５】
本発明補強帯は、屈曲根部と一対の脚部を有するU状金具が、所定間隔で一線上に配列され、各脚部端部に直線状の縁線がスポット溶接などによって固定されると共に脚部の中間に壁体の金網に接するスペーサ線が縁線に並行して固定され、全体が亜鉛メッキなどによって防錆加工されている。
なお、必要により、脚端部の縁線とスペーサ線に平行して中間補強線を配設固定するなど任意である。
他の補強帯として一本の線材によって屈曲根部と一対の脚部からなるU状部を連接する縁線部を介して所定間隔で連続して形成し、前記脚部の中間にスペーサ線と中間補強線を配設して固定したものでもよい。
本発明壁体構造は、上記の補強帯の屈曲根部を壁体金網の網目を貫通させ、スペーサ線を金網に近接して前記壁体に垂直に設置して、壁体心材とスペーサ線間を下地層として吹付し、該下地層と縁線までの間を中間層としてモルタル吹付を行い、この表面を比較的薄い仕上層として吹付後、鏝仕上げを行なって三層モルタル構造とするものである。
【発明の効果】
【０００６】
本発明補強帯は、壁面に高さ方向にほぼ一定間隔で水平に取付けられる。
而して、モルタルの一次吹付作業においては、金網とスペーサ線に加えて屈曲根部がモルタルのダレを阻止し、二次吹付においては、脚部と縁線や中間補強線がダレを受止めるので厚吹付が可能になる他、縁線が吹付目安となるので吹付作業が正確且つ容易になる。
更に、補強帯は、モルタル壁内においてモルタルと一体化して水平力を負担すると共にモルタル下地層と中間層との界面の接合が強固になり、該界面部の機械的、熱的強度を増大させることができる。
【発明を実施するための最良の形態】
【０００７】
以下、両面金網付の壁体（ユニットパネル）をモルタル吹付体として本発明補強帯を適用する場合について説明する。  但し、図においては片面が省略されると共に縦横方向に配設される補強鉄筋は省略してある。
パネルPは、独立気泡発泡体の芯材Hの両面に金網Nを張設したものであって、金網同士は図示しないラチス材によって連結されて芯材表面から一定の空隙Ｓを保って浮設されている。
図1、図2においてMは、補強帯であって線材をU状に屈曲させて巾ａの屈曲根部１と一対の脚部2を形成したＵ状金具３を所定の設定間隔ｂで一線上に配列させると共に各U状金具の脚部端４に縁線５をスポット溶接６し、更に、スペーサ線７や中間補強線9を配して脚部との交点をスポット溶接８して構成される。
各線材の直径は、同一（例えば２．６ｍｍ）でも異径であってもよい。９は、スペーサ線に平行して配設した中間補強線であり、吹付け厚さによって適宜に設ける。
【０００８】
図３は、他の補強帯の例であって、一本の線材を屈曲させてＵ状金具３に相当するＵ状部１０を構成すると共に折曲げ部１１に連接して縁線部１２を繰り返して成形し、Ｕ状部１０の脚部２にスペーサ線７と補強線9を溶接８，してなり、作用効果はＵ状金具３による補強帯と同一である。
【０００９】
寸法ａは、金網の網目内に挿入できる巾長であって通常３ｃｍ前後であり、ｂは網目間隔の整数倍の長さとし、10〜20ｃｍである。また、Ｕ状屈曲根部１の長さｃは、先端が芯材Ｈに達する程度にするのがよい。
補強帯Ｍは、図１のように各段の高さ間隔ｈ（約２０ｃｍ前後）で水平に取付けられる。
【００１０】
補強帯の取付けは、屈曲根部１を壁体金網Ｎの網目を貫通させると共にスペーサ線７を金網面に接触させた状態で起立させ図示しないワイヤ又はフックなどで仮止めする。
一次吹付は、スペーサ線等を目安として下地層Ａを塗装し、硬化した後、縁線５（１２）を目安として二次吹付を行なって中間層Ｂを構成する。
二次吹付作業において縁線が吹付目安となるので熟練度の低い作業者でも効率よく作業でき、また、モルタルのダレを防止して中間層Ｂを厚く（５〜６ｃｍ）塗装できるので下地層Ａを熱的に保護して火災時などにおいて界面Ｇの剥離を予防できる。    仕上げ吹きは、少なくとも１ｃｍの厚さとし常法によりコテ均しによって仕上面Ｆを形成し、仕上層Ｃを完成させモルタル層全体の厚さを6〜７ｃｍとする。
【図面の簡単な説明】
【００１１】
【図１】本発明補強帯を用いた吹付壁面の垂直断面図
【図２】同水平横断面図
【図３】他の実施例補強帯の拡大平面図
【符号の説明】
【００１２】
Ａ  下地層
Ｂ  中間層
Ｃ  仕上層
Ｐ  吹付体（パネル）
Ｈ  芯材
Ｎ  金網
Ｓ  空隙
Ｍ  補強帯
Ｆ  仕上面
ｈ  高さ間隔
１  屈曲根部
２  脚部
３  Ｕ状金具
４  脚端部
５  縁線
６、８、  溶接部
７  スペーサ線
９  中間補強線
１０  Ｕ状部
１１  折曲部
１２  連設縁線
ａ  Ｕ状部の巾
ｂ  Ｕ状部の間隔
ｃ  屈曲根部の長さ
【図１】
2008057261.tif 000003
【図２】
2008057261.tif 000004
【図３】
2008057261.tif 000005